(57)【要約】【課題】ユーザが進むべき道路の判断を容易に行なうことができるように、道路名称をユーザにわかりやすく表示すること。【解決手段】車両の走行予定道路と交差する交差道路の道路名称を、当該交差道路に沿って、かつ、走行予定道路に重ならない範囲で近接した位置に表示する。このようにすれば、車両が次に走行することが可能な道路の道路名称を、ユーザは容易に視認することができるようになる。【選択図】図８
2008102002.tif 000002
【特許請求の範囲】
【請求項１】
表示手段と、
車両の現在位置及び進行方向を検出する検出手段と、
各道路の道路名称を含む、道路地図を表示するための道路地図データを記憶する記憶手段と、
前記車両の現在位置に基づいて、その周辺の道路地図を表示するための道路地図データを前記記憶手段から読み出して、前記車両の現在位置及び進行方向を示す車両マークを、その周辺の道路地図とともに前記表示手段に表示するものであって、前記車両の走行予定道路と交差する交差道路の道路名称を、当該交差道路に沿って、かつ、前記走行予定道路に近接した位置に表示する表示制御手段と、
を備えることを特徴とする車両用ナビゲーション装置。
【請求項２】
前記表示制御手段は、前記車両の走行予定道路と交差する交差道路の道路名称を、当該交差道路に沿って表示する際に、前記走行予定道路に重ならない範囲で近接した位置に表示することを特徴とする請求項１に記載の車両用ナビゲーション装置。
【請求項３】
目的地が指定されると、当該目的地に達する案内経路を設定し、その設定した案内経路に沿って車両が走行するように経路案内を行なう経路案内手段を備え、
前記表示制御手段は、前記経路案内手段によって経路案内が行なわれているとき、前記案内経路を前記車両の走行予定道路とすることを特徴とする請求項１又は請求項２に記載の車両用ナビゲーション装置。
【請求項４】
前記表示制御手段は、前記経路案内手段による経路案内が行なわれていないとき、前記車両が走行している道路の道なり道路を前記走行予定道路とすることを特徴とする請求項３に記載の車両用ナビゲーション装置。
【請求項５】
前記表示制御手段は、前記走行予定道路と立体交差し、その走行予定道路から乗り移ることができない立体交差道路については、前記走行予定道路に近接した位置での道路名称の表示を行なわないことを特徴とする請求項１乃至請求項４のいずれかに記載の車両用ナビゲーション装置。
【請求項６】
前記表示制御手段は、前記表示手段に表示する道路地図に含まれる各道路の道路名称を表示するものであって、この道路名称を表示する際に、前記交差道路の道路名称の表示を優先して行い、当該交差道路以外の道路の道路名称は、優先表示される前記交差道路の道路名称と重ならない位置に表示されることを特徴とする請求項１乃至請求項５のいずれかに記載の車両用ナビゲーション装置。
【請求項７】
前記記憶手段が記憶する道路地図データは、住所及び施設の名称を含み、
前記表示制御手段は、前記表示手段に表示する道路地図に含まれるエリアの住所の名称、及び施設の名称も表示するものであり、これら住所及び施設の名称表示の優先順位は、前記交差道路の道路名称表示の優先順位よりも低く、前記交差道路以外の道路の道路名称表示の優先順位よりも高く設定されていることを特徴とする請求項６に記載の車両用ナビゲーション装置。
【請求項８】
前記表示制御手段は、前記交差道路以外の道路の道路名称を、当該道路に沿って表示するものであって、その道路名称表示が最も水平に近くなる位置に表示することを特徴とする請求項６又は請求項７に記載の車両用ナビゲーション装置。
【請求項９】
前記表示制御手段は、優先順位の低い名称の表示が優先順位の高い名称の表示と重なる場合、当該優先順位の低い名称の表示を省略することを特徴とする請求項６乃至請求項８のいずれかに記載の車両用ナビゲーション装置。
【発明の詳細な説明】
【技術分野】
【０００１】
本発明は、車両用ナビゲーション装置に関するものである。
【背景技術】
【０００２】
従来の車両用ナビゲーション装置は、道路地図上に、都道府県名、市町村名等の住所名称（行政区画名称）のほか、公園などの各種の施設名称、道路名称等を文字にて表示する。これにより、ユーザは、車両が位置するエリアや、近隣にある施設、各道路を特定するための情報を得ることができる。ただし、それらの名称の表示位置は、原則として、道路地図データにおいて予め決められており、各名称は、その予め決められた位置に表示されるものであった。
【発明の開示】
【発明が解決しようとする課題】
【０００３】
車両を運転するユーザにとって、住所名称や施設名称は、車両が走行している場所を把握する等の目的のために必要な情報である。しかし、ユーザが、車両を運転する場合、所望の目的地へ達するためのおおよその経路を決めて、その経路に従って、車両を走行させることがほとんどである。この場合、住所名称や施設名称よりもむしろ、各道路の名称がより重要な情報となる。ユーザは、予め決めた経路に従って車両を走行させるためにいずれの道路を走行すべきか逐次判断しているが、この際、道路名称に基づいて判断することが多いためである。
【０００４】
ただし、ユーザは、ナビゲーション装置に表示された全ての道路の道路名称を把握する必要はない。つまり、ユーザは、車両を走行させている道路から次に進むべき道路を判断することができれば、少なくとも、予め決めた経路通りに車両を走行させることができる。
【０００５】
本発明は、上記の点に鑑みてなされたもので、ユーザが進むべき道路の判断を容易に行なうことができるように、道路名称をユーザにわかりやすく表示することが可能な車両用ナビゲーション装置を提供することを目的とする。
【課題を解決するための手段】
【０００６】
上記目的を達成するために、請求項１に記載の車両用ナビゲーション装置は、
表示手段と、
車両の現在位置及び進行方向を検出する検出手段と、
各道路の道路名称を含む、道路地図を表示するための道路地図データを記憶する記憶手段と、
車両の現在位置に基づいて、その周辺の道路地図を表示するための道路地図データを記憶手段から読み出して、車両の現在位置及び進行方向を示す車両マークを、その周辺の道路地図とともに表示手段に表示するものであって、車両の走行予定道路と交差する交差道路の道路名称を、当該交差道路に沿って、かつ、走行予定道路に近接した位置に表示する表示制御手段と、を備えることを特徴とする。
【０００７】
ユーザが進むべき道路を判断する場合、現在走行している道路、または走行することが予定されている道路に接続された道路の中から、１つの道路を選ぶことになる。このため、請求項１に記載の車両用ナビゲーション装置は、特に、車両の走行予定道路と交差する道路の道路名称を、当該交差道路に沿って、かつ、走行予定道路に近接した位置に表示することとした。このようにすれば、車両が次に走行することが可能な道路の道路名称を、ユーザは容易に視認することができるようになる。この結果、ユーザは、その道路名称を手がかりとして、進むべき道路を容易に、かつ正しく判断することができるようになる。
【０００８】
請求項２に記載したように、表示制御手段は、車両の走行予定道路と交差する交差道路の道路名称を、当該交差道路に沿って表示する際に、走行予定道路に重ならない範囲で近接した位置に表示することが好ましい。このようにすれば、交差道路の道路名称は、走行予定道路の極めて近傍に表示されるので、走行予定道路と交差する交差道路が複数ある場合でも、ユーザは、各交差道路の道路名称を容易に視認することができる。
【０００９】
請求項３に記載したように、目的地が指定されると、当該目的地に達する案内経路を設定し、その設定した案内経路に沿って車両が走行するように経路案内を行なう経路案内手段を備え、表示制御手段は、経路案内手段によって経路案内が行なわれているとき、その案内経路を車両の走行予定道路とすることが好ましい。経路案内が行われている場合、車両は、その案内経路に沿って走行する可能性が高いためである。なお、経路案内が行なわれていないときには、請求項４に記載したように、現在、車両が走行している道路の道なり道路を走行予定道路とすることが好ましい。車両は、他の道路に乗り移るまでは、現在走行している道路を走行し続けるためである。
【００１０】
請求項５に記載したように、表示制御手段は、走行予定道路と立体交差し、その走行予定道路から乗り移ることができない立体交差道路については、走行予定道路に近接した位置での道路名称の表示を行なわないこととしても良い。この場合、車両は、その立体交差道路に直接進むことができないので、その名称は、進むべき道路を判断する上で、直接的に利用されるものではないためである。
【００１１】
請求項６に記載したように、表示制御手段は、表示手段に表示する道路地図に含まれる各道路の道路名称を表示するものであって、この道路名称を表示する際に、交差道路の道路名称の表示を優先して行い、当該交差道路以外の道路の道路名称は、優先表示される交差道路の道路名称と重ならない位置に表示されることが好ましい。このようにすれば、走行予定道路と交差する交差道路の名称を、必ず、ユーザにとって視認しやすい位置に表示しつつ、それ以外の道路の名称も表示することができる。
【００１２】
請求項７に記載したように、記憶手段が記憶する道路地図データは、住所及び施設の名称を含み、表示制御手段は、表示手段に表示する道路地図に含まれるエリアの住所の名称、及び施設の名称も表示するものであり、これら住所及び施設の名称表示の優先順位は、交差道路の道路名称表示の優先順位よりも低く、交差道路以外の道路の道路名称表示の優先順位よりも高く設定されることが好ましい。
【００１３】
この場合、まず、交差道路の道路名称の表示が、上述したように、交差道路に沿って、かつ走行予定道路に近接した位置になされる。その次に、住所名称及び施設名称の表示位置が、交差道路の道路名称と重ならないように決定される。このように、住所名称及び施設名称の表示位置は比較的緩い制限の下で決定されるため、おおむね、適切な位置に表示することができる。最後に、交差道路以外の道路の名称の表示位置が、交差道路の道路名称、住所名称及び施設名称と重ならないように決定される。
【００１４】
住所名称や施設名称は、例えば車両が走行しているエリアを把握したり、最終的な目的地を確認するなどに利用されることがある。これら住所名称及び施設名称の表示の優先順位を、交差道路の道路名称表示の優先順位よりも低く、交差道路以外の道路の道路名称表示の優先順位よりも高く設定することにより、上述したように、おおむね適切な位置に表示することができる。
【００１５】
請求項８に記載したように、表示制御手段は、交差道路以外の道路の道路名称を、当該道路に沿って表示するものであって、その道路名称表示が最も水平に近くなる位置に表示することが好ましい。道路は水平方向に伸びる直線道路ばかりではなく、斜めに延びていたり、曲がりくねっていたりすることもある。このような場合、極力、道路名称が水平となる位置に道路名称を表示することにより、交差道路以外の道路の道路名称の見易さも向上することができる。
【００１６】
請求項９に記載したように、表示制御手段は、優先順位の低い名称の表示が優先順位の高い名称の表示と重なる場合、当該優先順位の低い名称の表示を省略するようにしても良い。両方の名称を重ねて表示すると、どちらの名称も読み取りがたくなってしまう。従って、優先順位の高い名称を表示し、優先順位の低い名称の表示は行なわないようにすることが好ましいためである。
【発明を実施するための最良の形態】
【００１７】
以下、本発明の実施の形態における車両用ナビゲーション装置に関して、図面に基づいて説明する。
【００１８】
図１は、本実施形態に係わる車両用ナビゲーション装置の概略構成を示すブロック図である。同図に示すように、本実施形態の車両用ナビゲーション装置は、位置検出部１、地図データ格納部２、スイッチ情報入力部３、これらに接続された制御部４、制御部４に接続された表示部６、及び音声出力部７を備えている。
【００１９】
位置検出部１は、いずれも周知の地磁気センサ、ジャイロセンサ、車速センサ、及び衛星からの電波に基づいて車両の位置を検出するＧＰＳセンサなどによって構成される。これらは、各々が性質の異なる誤差を持っているため、複数のセンサにより各々補完しながら使用するように構成されている。なお各センサの精度によっては、位置検出部１を上述した内の一部のセンサで構成しても良い。
【００２０】
地図データ格納部２は、道路データや背景データ等の道路地図を描画するための道路地図データを制御部４に入力するためのものである。この地図データ格納部２は、道路地図データを記憶する記憶媒体を備え、その記憶媒体としては、そのデータ量からＤＶＤ−ＲＯＭやハードディスクなどが用いられる。もちろん、その他の種類の記憶媒体を用いても良い。さらに、地図データ格納部２を外部のサーバ等と通信を行なう通信機として、外部のサーバ等に格納されている地図データを通信によって取得するものであっても良い。
【００２１】
スイッチ情報入力部３は、例えば表示部６の周囲に設置されたメカニカルなスイッチや、表示部６と一体となったタッチスイッチを有し、各種の入力に使用されるものである。例えば、本実施形態によるナビゲーション装置は、いわゆる経路案内機能を備えており、スイッチ情報入力部３により目的地を入力すると、現在位置を出発地として、目的地までの最適な経路を自動的に選択して案内経路が形成され、音声出力部７及び表示部６によってその案内経路に従った案内がなされる。
【００２２】
表示部６は、例えば液晶ディスプレイによって構成される。表示部６の画面には、位置検出器１によって検出された車両の現在位置と地図データ格納部２から入力される道路地図データとに基づいて、車両の現在位置周辺の道路地図が、車両の現在位置及び進行方向を示す自車両マークとともに表示されたり、目的地を選択するための選択画面やナビゲーション装置の各種の機能のオン・オフを設定する設定画面等が表示されたりする。
【００２３】
音声出力部７は、スピーカによって構成され、経路案内のための音声や、ナビゲーション装置の操作の説明を行なう音声を出力する。
【００２４】
制御部４は通常のコンピュータとして構成されており、内部には周知のＣＰＵ、ＲＯＭ、ＲＡＭ、入出力回路、及びこれらの構成を接続するバスラインが備えられている。ＲＯＭには、車載ナビゲーション装置が実行するためのプログラムが書き込まれており、このプログラムに従ってＣＰＵが所定の演算処理を実行する。なお、図１では、制御部４が実行する主要な機能を、機能ブロック図として表示している。すなわち、制御部４は、地図データ取得部１０、マップマッチング部１１、経路計算部１２、経路案内部１３、及び表示制御部１４を備える。
【００２５】
地図データ取得部１０は、通常は、位置検出部１によって検出された現在位置を含む周辺の道路地図データを地図データ格納部２から取得し、表示制御部１４に与える。表示制御部１４は、地図データ格納部２から与えられた道路地図データに基づいて、図示しないＶＲＡＭに道路地図を描画し、その道路地図に基づいて、現在位置及び進行方向を示す自車両マークとともに、現在位置周辺の道路地図を表示するための表示信号を表示部６に与える。
【００２６】
車両の走行に伴って、車両の走行軌跡がマップマッチング部１１に蓄積される。マップマッチング部１１は、車両の走行軌跡と道路の形状を照合する。この照合に基づいて、表示部６に表示している自車両位置が実際の車両の位置とずれていると判定すると、マップマッチング部１１は正しい自車両の位置を表示制御部１４に与える。これにより、表示制御部１４は、表示部６に表示する道路地図上の自車両の位置を修正する。
【００２７】
また、スイッチ情報入力部３によって目的地が入力された場合、経路計算部１２が現在位置から目的地までの最適な案内経路を作成する。この際、地図データ取得部１０は、現在位置から目的地までの道路地図データを地図データ格納部２から取得し、経路計算部１２は、その道路地図データに対して公知のダイクストラ法等の手法を適用して、最適な案内経路を作成する。作成された案内経路は、経路案内部１３に与えられる。経路案内部１３は、表示部６に表示される道路地図において、作成された案内経路に対応する道路を特定の色で識別表示させるべく表示制御部１４に指示する。さらに、右左折等を行なうべき交差点等の案内ポイントを算出し、その案内ポイントにおける右左折方向を音声にて報知すべく、音声出力部７に音声信号を出力する。また、その案内ポイントに関する情報を表示制御部１４に与え、表示制御部１４は、交差点付近の拡大図や高速道路の略図を表示部６に表示させるための表示信号を生成する。
【００２８】
次に、本実施形態における特徴部分に関する道路地図の表示処理、さらに詳しくは、その道路地図に表示する道路名称の表示位置制御処理について詳しく説明する。
【００２９】
まず、道路地図データの構成について、図２（ａ），（ｂ），（ｃ）に基づいて説明する。図２（ａ）に示すように、道路地図データは、全表示範囲をメッシュ状に分割し、パーセル（地図区画）と呼ばれる個々の分割範囲ごとに、地図データ格納部２に格納されている。このようにパーセル単位で分割して記憶される道路地図データは、主に、自然地形や線路など道路地図を表示する際の背景となる背景データと、実際の道路に即して道路を表示するための道路データとからなる。
【００３０】
道路データは、１つのパーセルに含まれる全ての道路について、道路の形状や、幅員、車線数などを示すリンク列データを有する。ここで、各道路は、道路が分岐、交差、連結などする地点をノードとして規定し、そのノード間を結ぶリンクによって表す。ただし、道路の形状が直線以外の場合、実際の道路の形状を模擬するため、ノード間に形状補間点が設定される。この場合、ノードと形状補間点との間や形状補間点同士を結ぶ線分はセグメントと呼ばれ、リンクは複数のセグメントから構成されることになる。
【００３１】
リンク列データは、１つのパーセルに含まれる、名称や車両の走行条件が同一である道路部分を示す複数のリンクについてのデータを含むものである。例えば、図２（ａ）に示すように、１つのパーセルに、道路Ａと道路Ｂが含まれていると仮定する。この場合、このパーセルの道路データは、道路Ａに対応するリンク列データＡと、道路Ｂに対応するリンク列データＢとを有する。
【００３２】
これらのリンク列データＡ，Ｂの一例を図２（ｂ）に示す。図２（ｂ）に示すように、リンク列データＡには、各リンクの形状を示す形状情報、各リンクを識別するために付与された各リンクに固有の番号であるリンクＩＤ情報、リンク列データＡに対応する道路Ａの道路名称が記憶されている記憶領域を示す道路名称アドレス、道路Ａの幅員や車線数を示す幅員・車線情報などが含まれる。なお、各リンクの形状情報は、リンクの両端とその間の形状を表す形状補間点の座標位置を示す座標列からなる。
【００３３】
上述したように、リンク列データには、対応する道路の名称が記憶されている記憶領域を示す道路名称アドレスが含まれており、この道路名称アドレスにより、道路名称を読み出すことが可能である。道路名称は、図２（ｃ）に示すように、各リンク列データの道路名称アドレスに対応する記憶領域に、順番に記憶されている。
【００３４】
次に、上述した道路地図データを用いて、車両の現在位置及び進行方向を示す自車両マークとともに道路地図を表示する処理について、図３のフローチャートに基づいて説明する。
【００３５】
まず、ステップＳ１１０では、位置検出部１による検出結果に基づいて、車両の現在位置及び進行方向を検出する。続くステップＳ１２０では、ステップＳ１１０にて検出された車両の現在位置に基づいて、その周辺の道路地図を描画するための道路地図データをパーセル単位で地図データ格納部２から読み出す。そして、ステップＳ１３０において、読み出した道路地図データに基づいて、表示制御部１４におけるＶＲＡＭに道路地図を描画する。この道路地図の描画処理に関しては、後に詳細に説明する。
【００３６】
なお、表示制御部１４におけるＶＲＡＭは、車両の走行に伴って、道路地図をスクロール表示するため、表示部６の表示範囲よりも広い道路地図を描画可能な容量を備えている。そして、ステップＳ１４０において、表示制御部１４は、自車両マークが一定の位置に表示され、かつその進行方向が上向きとなるように表示範囲を定め、この表示範囲の道路地図が表示部６に表示されるように、表示信号を生成する。ただし、表示制御部１４は、所定の方位（例えば、真北）が上向きとなるように、道路地図を表示するようにしても良い。
【００３７】
次に、道路地図の描画処理に関して、図４のフローチャートに基づいて説明する。なお、上述した表示制御部１４のＶＲＡＭは、背景、道路、及び名称をそれぞれ個別に描画する描画面を備えており、表示制御部１４は、これらの描画面にそれぞれ描画されたデータを重ね合わせた表示信号を生成して、表示部６に与える。
【００３８】
まず、ステップＳ２１０において、読み出した道路地図データの背景データに基づいて、道路地図の背景を、背景描画用の描画面に描画する。次に、ステップＳ２２０において、読み出した道路地図データの道路データにおける形状情報に基づいて、各道路を道路描画用の描画面に描画する。さらに、ステップＳ２３０において、道路データのリンク列データにおける道路名称アドレスに基づいて、表示すべき道路名称を読み出して、後に説明する処理によって、各道路名称の表示位置を決定し、その決定した位置に各名称を描画する。
【００３９】
なお、一旦、ＶＲＡＭに道路地図が描画されると、車両が移動して、その描画範囲の端部に接近するまで、その描画された道路地図が維持される。車両が描画範囲の端部に接近した場合には、その端部に続く道路地図をＶＲＡＭに新たに描画し、不要となった道路地図は、ＶＲＡＭから消去される。
【００４０】
次に、各道路名称の表示位置を決定する処理について、図５のフローチャートに基づいて説明する。まず、ステップＳ３１０では、各道路名称の表示位置が決定済みであり、既に、名称描画用の描画面に各道路名称が描画されているか否かを判定する。この判定処理において「Ｙｅｓ」と判定された場合には、ステップＳ３２０の処理に進む。
【００４１】
ステップＳ３２０では、名称表示を更新する更新タイミングに該当するか否かを判定する。更新タイミングであるか否かは、いくつかの条件に基づいて判定され、例えば、車両の走行に伴って車両の進行方位が変化し、表示される道路地図の角度が所定角度（例えば４５度）以上変化したとき更新タイミングであると判定される。また、車両が走行している道路を変えたときや、案内経路が変化した場合も、更新タイミングであると判定される。ステップＳ３２０にて、更新タイミングではないと判定されると、そのまま、図５のフローチャートに示す処理を終了する。一方、ステップＳ３２０にて更新タイミングであると判定されたり、ステップＳ３１０において、道路名称の表示位置が未決定であると判定された場合には、ステップＳ３３０の処理に進む。
【００４２】
ステップＳ３３０では、経路案内中であれば、案内中道路、経路案内中でなければ、車両が走行している走行中道路を、車両が今後走行する予定の道路（走行予定道路）とみなして、その走行予定道路と交差する交差道路を抽出する。具体的には、リンク列データに基づいて、走行予定道路を構成するリンクのノードと同一座標のノードを有するリンクを含むリンク列データを抽出する。ただし、走行予定道路と立体交差し、かつ走行予定道路から直接乗り移ることができない道路は、抽出対象から除外される。
【００４３】
続くステップＳ３４０では、抽出した交差道路のリンク列データの道路名称アドレスに基づいて、交差道路の道路名称を読み出す。そして、ステップＳ３５０において、読み出した道路名称が、交差道路に沿って、かつ、走行予定道路に重ならない範囲で近接した位置に表示されるように、走行予定道路と交差道路との交点近傍に表示位置を決定する。
【００４４】
この表示位置の決定に際しては、一定のルールを予め定め、そのルールに従って表示位置を定める。例えば、図６（ａ）に示すように、走行予定道路の左右両側に同一名称の道路がある場合、進行方向右側を優先して表示位置を定めるようにする。但し、その右側に交差道路の道路名称よりも表示の優先順位が高い名称等が表示されている場合には、進行方向左側に表示位置を定める。
【００４５】
また、図６（ｂ）に示すように、走行予定道路と交差する道路の、走行予定道路に接続する接続点が左右でずれている場合には、車両に近い側の道路に沿う位置を優先して表示位置を定める。
【００４６】
このように一定のルールに従って表示位置を決定するようにすれば、ユーザにとって読み取りやすく、理解しやすい道路名称表示を行なうことができる。また、一般的に、極力水平に近い向きで名称を表示する方が、ユーザはその名称を読み取りやすくなるが、交差道路の道路名称に関しては、走行予定道路の近傍に表示することを優先する。その結果、交差道路の道路名称の表示角度は、交差道路が延びる方向に従うことになる。本実施形態では、表示角度による多少の読み取り難さよりも、交差道路の道路名称の表示範囲を走行予定道路の近傍に集中させることで、ユーザが、一見して交差道路の名称を把握できることを優先させるのである。
【００４７】
なお、ステップＳ３３０にて、交差道路を抽出する場合、車両に近い側から順番に抽出することが好ましい。それにより、交差道路の中でも、車両に近い側の交差道路の名称表示がより優先して実行されるためである。つまり、本実施形態では、先に表示位置が決定された名称に表示の優先権が与えられ、後からその名称表示に重なるような位置に他の名称を表示することは禁止している。従って、より早く表示位置が決定される名称は、より高い表示の優先順位が与えられることになる。
【００４８】
ステップＳ３６０では、読み出した道路データにおいて、走行予定道路と交差する全ての交差道路を抽出して、その全交差道路の道路名称の表示位置を決定したか否かを判定する。まだ抽出していない交差道路があると判定された場合には、ステップＳ３３０の処理に戻り、上述した処理を繰り返して、道路名称の表示位置を決定する。
【００４９】
ステップＳ３７０では、読み出した道路データにおいて、走行予定道路と交差する交差道路以外の道路を抽出し、その道路の名称を配置できる位置を決定する。交差道路以外の道路の道路名称の表示位置を決定するためのルールの一例を図７に基づいて説明する。図７では、「○○○ＳＴ」との道路名称を対応する道路に沿って表示する例を示している。
【００５０】
道路名称「○○○ＳＴ」を対応する道路に沿って表示するために、まず、その道路名称の表示長さ分は、少なくとも略直線状となっている道路部分が、表示位置の候補となる。この表示位置候補の中で、極力、水平方向に近い向きで表示できる位置を表示位置として決定する。だだし、図７に示すように、最も水平方向に近い向きの表示位置では、表示優先順位が高い他の名称と重なってしまう場合、次に水平方向に近い向きで表示できる表示位置を採用する。いずれの表示位置の候補においても、優先順位が高い他の名称と重なってしまう場合には、その優先順位の低い道路名称の表示を省略する。両方の名称を重ねて表示すると、どちらの名称も読み取りがたくなってしまうためである。
【００５１】
このようにして、走行予定道路と交差する交差道路の道路名称の表示位置、及び交差道路以外の道路の道路名称の表示位置を決定したら、ステップＳ３８０に進む。ステップＳ３８０では、決定した表示位置に、各名称を描画する。
【００５２】
上述したようにして、各道路名称の表示位置を決定しつつ、道路名称を名称描画用の描画面に描画することによって、結果的に、図８に示すような道路地図が表示部６に表示される。この図８に示す道路地図では、車両が走行している道路と交差する交差道路の名称が、交差道路に沿って、かつ走行中道路の近傍に表示されている。このため、ユーザは、車両が次に走行することが可能な道路の道路名称を、容易に視認することができるようになる。この結果、ユーザは、その道路名称を手がかりとして、進むべき道路を容易に、かつ正しく判断することができるようになる。
【００５３】
なお、走行中道路の道路名称は、図８に示すように、画面の右上などに表示されるので、その走行中道路に沿った位置に表示されない。
【００５４】
以上、本発明の好ましい実施形態について説明したが、本発明は、上述した実施形態に何ら制限されることなく、本発明の主旨を逸脱しない範囲において、種々、変形して実施することが可能である。
【００５５】
例えば、上述した実施形態では、走行予定道路に交差する交差道路とそれ以外の道路とを対象として、交差道路の道路名称の表示を、交差道路以外の道路の道路名称の表示よりも優先して行なうものであった。
【００５６】
しかしながら、道路地図には、通常、住所名称や施設名称なども表示される。従って、これらの住所名称や施設名称も対象として、表示の優先順位を付け、それぞれの名称の表示位置を決定するようにしても良い。この場合、交差道路の道路名称の表示優先順位を最も高くし、住所名称や施設名称の表示優先順位は、交差道路の道路名称表示の優先順位よりも低く、交差道路以外の道路の道路名称表示の優先順位よりも高く設定されることが好ましい。
【００５７】
これにより、まず、交差道路の道路名称の表示位置が、上述したように、交差道路に沿って、かつ走行予定道路に近接した位置に優先的に決定される。その次に、住所名称及び施設名称の表示位置が、交差道路の道路名称と重ならないように決定される。このように、住所名称及び施設名称の表示位置は比較的緩い制限の下で決定されるため、おおむね、適切な位置に表示することができる。最後に、交差道路以外の道路の名称の表示位置が、交差道路の道路名称、住所名称及び施設名称と重ならないように決定される。
【００５８】
住所名称や施設名称は、車両が走行しているエリアを把握したり、最終的な目的地を確認するなどに利用されることがある。これら住所名称及び施設名称の表示の優先順位を、交差道路の道路名称表示の優先順位よりも低く、交差道路以外の道路の道路名称表示の優先順位よりも高く設定することにより、上述したように、住所名称及び施設名称をおおむね適切な位置に表示することができる。
【００５９】
さらに、特に重要な道路に関しては、その道路に付与された道路番号をその道路を中心とした位置に表示する場合がある。このような道路番号も対象として、表示の優先順位を設定しても良い。ただし、道路番号が表示される道路は、国道など特に重要な道路であるため、その道路番号表示の優先順位は、交差道路の道路名称の表示優先順位よりも高くすることが好ましい。
【００６０】
さらに、上述した実施形態では、交差道路以外の道路の道路名称の表示位置も、その都度決定するものであったが、交差道路の道路名称のみ、車両の走行予定道路に近接した位置に表示されるように、表示位置を決定し、交差道路以外の道路の道路名称については、従来のように、道路データなどにおいて表示位置を予め定めておき、その予め定めた位置に表示するようにしても良い。もし、予め定めた位置において、優先順位の高い他の名称と重なる場合には、表示を省略する。このようにすれば、名称を描画する際の処理負荷を軽減することが可能になる。
【００６１】
さらに、交差道路以外の道路の中でも、各道路名称の表示に優先順位を設けても良い。例えば、車線数や道路のクラスなどによって、より主要な道路の道路名称の表示位置を優先して先に決定するようにしても良い。
【図面の簡単な説明】
【００６２】
【図１】実施形態に係わる、ナビゲーション装置の概略的な構成を示すブロック図である。
【図２】（ａ），（ｂ），（ｃ）は道路地図データの構成を示す構成図である。
【図３】車両の現在位置及び進行方向を示す自車両マークとともに道路地図を表示する処理を示すフローチャートである。
【図４】道路地図の描画処理を示すフローチャートである。
【図５】各道路名称の表示位置を決定する処理を含む名称の描画処理を示すフローチャートである。
【図６】（ａ），（ｂ）は、交差道路の道路名称の表示位置を決定するためのルールの一例を説明するための説明図である。
【図７】交差道路以外の道路の道路名称の表示位置を決定するためのルールの一例を説明するための説明図である。
【図８】本実施形態の車両用ナビゲーション装置による道路地図の表示例を示す図面である。
【符号の説明】
【００６３】
１  位置検出部
２  地図データ格納部
３  スイッチ情報入力部
４  制御部
６  表示部
７  音声出力部
１０  地図データ取得部
１１  マップマッチング部
１２  経路計算部
１３  経路案内部
１４  表示制御部
【図１】
2008102002.tif 000003
【図２】
2008102002.tif 000004
【図３】
2008102002.tif 000005
【図４】
2008102002.tif 000006
【図５】
2008102002.tif 000007
【図６】
2008102002.tif 000008
【図７】
2008102002.tif 000009
【図８】
2008102002.tif 000010